(57)【要約】【課題】  樹心を含んだ木材である心持ち材において、乾燥による割れや変形を低コストで容易に防止することができる建築用木材を提供する。【解決手段】  本発明の建築用木材１は、心持ち材１０の一の側面１１に、長手方向中央部に沿って樹心に達する複数の縦割溝２が所定の間隔を空けて一列に形成されたことを特徴とする。また、この建築用木材１において、心持ち材１０の少なくとも一の側面１１に化粧板３が貼着されたことを特徴とする。【選択図】  図１
2017217827.tif 000002
【特許請求の範囲】
【請求項１】
心持ち材の一の側面に、長手方向中央部に沿って樹心に達する複数の縦割溝が所定の間隔を空けて一列に形成されたことを特徴とする建築用木材。
【請求項２】
前記心持ち材の少なくとも前記一の側面に化粧板が貼着されたことを特徴とする請求項１に記載の建築用木材。
【発明の詳細な説明】
【技術分野】
【０００１】
本発明は、樹心を含んだ木材、すなわち心持ち材から成る建築用木材に関し、特に心持ち材の乾燥による割れや変形を防止した建築用木材に関する。
【背景技術】
【０００２】
従来、柱や梁といった建築用木材に利用される樹心を含む心持ち材においては、図４に示すように、乾燥による割れやねじれ、反り等の変形を防止するため、心持ち材１０の長手方向の一側面に心持ち材１０の横断面中心部まで背割り２０を入れることが行われている。しかし、長手方向に背割り２０を入れることによって、構造材として使用する場合には、長手方向及び横断面方向から作用する力に対する強度低下の問題があった。
【０００３】
また、背割り２０を入れた心持ち材１０であっても、乾燥による割れの発生を十分に防止することは困難であった。更に、建築施工後にも乾燥による大きな変形が生じ、壁面材の波打ちが発生したり、背割り面以外の側面に割れが発生したりしていた。
【０００４】
そこで、従来の背割りにかわって、心持ち材における乾燥による割れや変形を防止するための処理が施された建築用木材が種々、開示されている（例えば、特許文献１から特許文献３参照）。特許文献１に開示された割溝付芯付角材では、角材の三面乃至四面全面の長手方向中央に、深さ１０〜３０ｍｍの縦割溝を形成することによって、化粧面への割れの発生を抑制し、乾燥による変形を極力少なくするようにしている。
【０００５】
また、特許文献２に開示された心持ち材は、横断面の一部に樹心部を有しており、且つ、少なくとも、横断面における形状上の中心線を挟んで相対する２材面の、中央線を挟むほぼ対称な２位置以上に、縦方向のスリットを有することを特徴とし、当該文献に開示された心持ち材も、乾燥による割れや変形の防止を図っている。
【０００６】
更に、特許文献３には、原木を断面角形状に荒挽した乾燥前の荒挽材の各面に、材長手方向に向いた複数の縦傷と材長手方向と交差する方向の複数の横傷からなる表面傷群を施し、この状態で乾燥を行なうことを特徴とする木製角材の乾燥前処理法が開示されている。当該乾燥前処理を行うことによって、不良乾燥の発生を抑制し、表面割れ、ねじれ、曲がり等の非常に少ない品質良好な角材製品を短い乾燥期間で歩留まりよく得ることを目的としている。
【先行技術文献】
【特許文献】
【０００７】
【特許文献１】実開平６−５９０７号公報
【特許文献２】特開２００４−１２２５９５号公報
【特許文献３】特開２００５−３４３０４４号公報
【発明の概要】
【発明が解決しようとする課題】
【０００８】
図４に示した心持ち材１０に対する従来の背割り２０では、上記の通り、建築施工後における乾燥によって大きな変形が生じ、壁面材に波打ちが発生したり、背割り面以外の側面に割れが発生したりして、乾燥による割れや変形を防止するための背割りが実際には施工できない状態となっている。
【０００９】
また、心持ち材の側面に化粧板を貼着した建築用木材を形成する場合、建築施工後の乾燥による割れや変形は、側面に貼着した化粧板に割れや剥がれといった悪影響を及ぼすため、背割りを入れた心持ち材の表面に化粧板を貼着することは困難であった。
【００１０】
更に、特許文献１から特許文献３に開示された心持ち材や乾燥前処理方法によると、乾燥による割れや変形を防止する効果は期待できるが、心持ち材の複数の側面に、複数の縦割溝やスリット等を形成することは非常に手間が掛かる。また、複数の縦割溝等を形成することによって、長手方向及び横断面方向から作用する力に対する強度低下を招くおそれもある。
【００１１】
そこで本願発明者は、上記の問題点に鑑み、心持ち材において、乾燥による割れや変形を低コストで容易に防止することができる建築用木材を提供するべく鋭意検討を重ねた結果、本発明に至ったのである。
【課題を解決するための手段】
【００１２】
即ち、本発明の建築用木材は、心持ち材の一の側面に、長手方向中央部に沿って樹心に達する複数の縦割溝が所定の間隔を空けて一列に形成されたことを特徴とする。
【００１３】
また、本発明の建築用木材において、前記心持ち材の少なくとも前記一の側面に化粧板が貼着されたことを特徴とする。
【発明の効果】
【００１４】
本発明の建築用木材によると、心持ち材の一の側面に、長手方向中央部に沿って樹心に達する複数の縦割溝を所定の間隔を空けて一列に形成するのみで、乾燥による割れや変形を容易に防止することができる。特に、縦割溝を心持ち材の一の側面にのみ形成するため、低コストで割れ等を防止した建築用木材を提供することができる。
【００１５】
また、本発明の建築用木材によると、長手方向及び横断面方向から作用する力に対する強度低下を招くことなく、乾燥による割れや変形を防止することができる。
【００１６】
更に、本発明の建築用木材において、少なくとも複数の縦割溝が形成された一の側面に化粧板が貼着されることによって複数の縦割溝を隠すことができるため、見た目が綺麗な建築用木材を提供することができる。
【図面の簡単な説明】
【００１７】
【図１】本発明の建築用木材の一実施形態を示す斜視図であり、（ａ）は一の側面に縦割溝を形成した状態、（ｂ）は全ての側面に化粧板が貼着された状態を示す。
【図２】図１（ａ）中、Ｘ部分の拡大説明図である。
【図３】（ａ）は図１（ａ）中Ａ−Ａ断面図、（ｂ）は図１（ａ）中Ｂ−Ｂ断面図である。
【図４】従来の背割りを入れた心持ち材の一例を示す斜視図である。
【発明を実施するための形態】
【００１８】
以下、本発明の建築用木材の一実施形態について、図面に基づいて説明する。図１は本発明の建築用木材の一実施形態を示す斜視図、図２は図１（ａ）における符号Ｘで示す部分の拡大説明図、図３（ａ）は図１（ａ）におけるＡ−Ａ断面図、図３（ｂ）は図１（ａ）におけるＢ−Ｂ断面図である。図１〜図３に示すように、本実施形態に係る建築用木材１は、心持ち材１０の一の側面１１に、長手方向中央部に沿って樹心に達する複数の縦割溝２が所定の間隔を空けて一列に形成されていることを特徴とする。
【００１９】
図４に示すように、従来の背割り２０は心持ち材１０の長手方向中央部にその全長に亘って形成されている。しかし、本実施形態に係る縦割溝２は、一の側面１１における長手方向中央部に、所定の間隔を空けて複数形成されている。このように、複数の縦割溝２を所定の間隔を空けて形成することによって、長手方向及び横断面方向から作用する力に対する強度低下を招くことなく、乾燥による割れや変形を防止することができる。
【００２０】
なお、本実施形態の建築用木材１において、各縦割溝２の長さ（ｌ）は特に限定されず、建築用木材１に係る心持ち材１０の全長に応じて適宜選択されるが、長さ（ｌ）が概ね１０〜３０ｃｍ程度の縦割溝２が形成されることとなる。長さ（ｌ）があまりに短すぎると、乾燥による割れや変形を十分に防止することができない。また、心持ち材１０の長手方向全長に亘って多数の縦割溝２を形成しなければならなくなり、作業が繁雑になる。一方、縦割溝２の長さ（ｌ）があまりに長すぎると、長手方向及び横断面方向から作用する力に対する強度低下を招くおそれがあると共に、建築施工後における乾燥によって大きな変形を生じるおそれがある。
【００２１】
また、本実施形態に係る縦割溝２は、丸鋸を使用して形成されているため、図２及び図３（ａ）に示すように縦割溝２の縦方向（心持ち材１０の長手方向）の断面形状が半円形をなしているが、縦割溝２の縦方向断面形状は半円形に限定されず、矩形状などであってもよい。なお、丸鋸を使用することによって、一の側面１１に容易に縦割溝２を形成することができる。
【００２２】
更に、本実施形態の建築用木材１において、隣接する縦割溝２同士の間隔（ｗ）も特に限定されず、上記の縦割溝２の長さ（ｌ）と同様、建築用木材１に係る心持ち材１０の全長に応じて適宜選択されるが、縦割溝２同士の間隔（ｗ）も概ね１０〜３０ｃｍ程度に設定されることが好ましい。間隔（ｗ）があまりに短すぎると、複数の縦割溝２がほぼ繋がった状態とかわらないため、長手方向及び横断面方向から作用する力に対する強度低下を招くおそれがあると共に、建築施工後における乾燥によって大きな変形を生じるおそれがある。一方、縦割溝２同士の間隔（ｗ）があまりに長すぎると、縦割溝２の形成数が少なくなるため、乾燥による割れや変形を十分に防止することができない。
【００２３】
以上、本発明の建築用木材の一実施形態について詳述したが、本発明の技術的思想を実質的に限定するものと解してはならない。例えば図１（ｂ）に示すように、上記の実施形態の建築用木材１に係る心持ち材１０の側面には、化粧板３が貼着されてもよい。本実施形態の建築用木材１に係る心持ち材１０の一の側面１１には複数の縦割溝２が形成されているため、乾燥による割れや変形を容易に防止することができ、建築施工後における乾燥によっても壁面材に波打ちが発生することがない。そこで、心持ち材１０の側面に化粧板３を貼着することによって、一の側面１１に形成された複数の縦割溝２を隠すことができると共に、貼着された化粧板３には割れや波打ちが発生することがなく、表面が綺麗な建築用木材１を提供することができる。特に、心持ち材１０自体には節が多くて見た目が悪い場合であっても、化粧板３に間伐材や端材を使用すると共に、節のない綺麗な部分のみを採用することによって、見た目が非常に綺麗な無節の建築用木材１を安価に提供することができる。
【００２４】
なお、図１（ｂ）に示した建築用木材１では、心持ち材１０の全側面に化粧板３を貼着したが、少なくとも縦割溝２が形成された一の側面１１に化粧板３を貼着することによって、見た目が綺麗な建築用木材１を提供することができる。本発明はその要旨を逸脱しない範囲で、当業者の創意と工夫により、適宜に改良、変更又は追加をしながら実施できる。
【符号の説明】
【００２５】
１：建築用木材
２：縦割溝
３：化粧板
１０：心持ち材
１１：一の側面
２０：背割り
ｌ：縦割溝の長さ
ｗ：縦割溝同士の間隔
【図１】
2017217827.tif 000003
【図２】
2017217827.tif 000004
【図３】
2017217827.tif 000005
【図４】
2017217827.tif 000006